(57)【要約】【課題】複数の遮光部材からなる制光部材および環状のランプを用いたとしても使用者に違和感を生じさせない照明器具を提供することを目的とする。【解決手段】本実施形態によれば、複数のランプソケット２９，２９が周方向に位置をずらして配置されており、さらに、複数のルーバ片５４のうちルーバ片５４ａ、５４ｂは、各々のランプソケット２９，２９と対向する位置に設けられていることにより、ルーバ片５４ａとルーバ片５４ｂ間の輝度感がルーバ片５４ｃとルーバ片５４ｄ間との輝度感と比較しても低下しないようになっている。【選択図】図３
2005100720.tif 000002
【特許請求の範囲】
【請求項１】
周辺形状が円形および正多角形のいずれか一方であって、複数の環状のランプが隣り合うように内包され、かつ、この複数の環状のランプおよび複数の環状のランプの口金部と対向するように照射開口部が設けられる器具本体と；
器具本体内に設けられ、複数の環状のランプの口金部が各々接続されるとともに、それぞれ周方向に位置をずらして配置されている複数のランプソケットと；
複数の遮光部材、この複数の遮光部材が環状のランプと同一の環状に配置され、かつ、各々のランプソケットと少なくとも一つの遮光部材とが対向するように器具本体の照射開口部に設けられる制光部材と；
を具備していることを特徴とする照明器具。
【請求項２】
器具本体内には複数のランプが各々取付けられる複数のランプホルダーが設けられており、この複数のランプホルダーはそれぞれ周方向に位置をずらして配置されるとともに、各々のランプホルダーは少なくとも一つの遮光部材と対向する位置に設けられることを特徴とする請求項１記載の照明器具。
【発明の詳細な説明】
【技術分野】
【０００１】
本発明は、環状のランプを用いる照明器具に関する。
【背景技術】
【０００２】
従来、例えば、複数の遮光部材であるルーバ片からなる制光部材を用いた照明器具は、光源としての直管形蛍光ランプや片口金蛍光ランプ等が内包されており、これらの光源の直下方向に制光部材を器具本体の照射開口部に配置する構成が主流である。
【０００３】
このような照明器具において、片口金蛍光ランプのソケット部が器具本体の照射開口部と対向する位置に設けられる場合には、１組のルーバ片とルーバ片との間にソケット部が位置するように設けることで外観を向上させるという技術が知られている（例えば、特許文献１参照）。
【０００４】
また、上記特許文献１の従来技術には、片口金蛍光ランプのソケット部が器具本体の照射開口部と対向する位置に設けられる場合であって、このソケット部の真下にルーバ片が位置するという技術も開示されている。
【特許文献１】実開平６−５０１４２号公報（第３−４頁、図１、図４）
【発明の開示】
【発明が解決しようとする課題】
【０００５】
ところで、複数の遮光部材からなる制光部材を用いた照明器具の光源に環状のランプを用いる場合には、器具本体の開口部と対向する領域に環状のランプの口金部が位置するとともに、遮光部材は環状のランプと同一の環状に配置される構成が多くなる。
【０００６】
したがって、このような照明器具において、特許文献１の記載にあるように、遮光部材間に口金部が位置してしまうと、一組みの遮光部材間の輝度感が他の遮光部材間の輝度感よりも低いものになってしまうので、照明器具の輝度感のバランスが低下してしまい、使用者に与える印象は好ましいものではなかった。
【０００７】
また、上記を解決するために、特許文献１の従来技術のように、遮光部材を環状のランプの口金部と対向するように設けることも考えられるが、複数の環状の光源を用いる照明器具の場合においては、単に一つの遮光部材と対向するように複数のソケットを設けると、遮光部材間の輝度感のバランスを著しく低下させてしまうという課題があった。
【０００８】
すなわち、この課題とは、環状のランプの口金部は光が照射されない部分であるので、複数の口金部が一つの遮光部材と対向するように設けられてしまうと、口金部が設けられている近郊の遮光部材間の輝度感が他の遮光部材間の輝度間よりも著しく低くなってしまい、照明器具の使用者が照明器具を下方から眺めた際に輝度ムラが生じている印象を与えてしまう虞がある。
【０００９】
本発明は上記の点に鑑みなされたものであり、複数の遮光部材からなる制光部材および環状のランプを用いたとしても使用者に違和感を生じさせない照明器具を提供することを目的とする。
【課題を解決するための手段】
【００１０】
請求項１記載の照明器具は、周辺形状が円形および正多角形のいずれか一方であって、複数の環状のランプが隣り合うように内包され、かつ、この複数の環状のランプおよび複数の環状のランプの口金部と対向するように照射開口部が設けられる器具本体と；器具本体内に設けられ、複数の環状のランプの口金部が各々接続されるとともに、それぞれ周方向に位置をずらして配置されている複数のランプソケットと；複数の遮光部材、この複数の遮光部材が環状のランプと同一の環状に配置され、かつ、各々のランプソケットと少なくとも一つの遮光部材とが対向するように器具本体の照射開口部に設けられる制光部材と；を具備していることを特徴としている。  
【００１１】
請求項１の照明器具によれば、複数のランプソケットが周方向に位置をずらして配置されており、さらに、遮光部材は、各々のランプソケットと対向する位置に設けられていることにより、ランプの非発光部である口金部が器具本体の中央側に向かって直線的に近接して設けられることがないので、各々の遮光部材間の輝度感が低下することを抑制することができ、照明器具の使用者が照明器具を眺めた場合に違和感を生じることがない。
【００１２】
また、遮光部材と各々のランプソケットとは対向するように設けられていることにより、照明器具を下方から眺めた際にランプソケットおよび口金部が遮光部材で隠れるので、意匠性を高めることができる。
【００１３】
さらにまた、複数のランプソケットが周方向に位置をずらして配置されているので、各環状のランプの着脱の際の操作性を向上させることができる。
【００１４】
請求項２記載の照明器具は、請求項１記載の照明器具において、器具本体内には複数のランプが各々取付けられる複数のランプホルダーが設けられており、この複数のランプホルダーはそれぞれ周方向に位置をずらして配置されるとともに、各々のランプホルダーは少なくとも一つの遮光部材と対向する位置に設けらえることを特徴としている。
【００１５】
請求項２の照明器具によれば、各々ランプホルダが遮光部材と対向するように設けられていることにより、照明器具を下方から眺めた際にランプホルダが遮光部材で隠れるので、意匠性をより高めることができる。
【００１６】
また、複数のランプホルダが周方向に位置をずらして配置されているので、各環状のランプの着脱の際の操作性をより向上させることができる。
【発明の効果】
【００１７】
請求項１の照明器具によれば、複数のランプソケットが周方向に位置をずらして配置されており、さらに、遮光部材は、各々のランプソケットと対向する位置に設けられていることにより、ランプの非発光部である口金部が器具本体の中央側に向かって直線的に近接して設けられることがないので、各々の遮光部材間の輝度感が低下することを抑制することができ、照明器具の使用者が照明器具を眺めた場合に違和感を生じることがない。
【００１８】
また、遮光部材と各々のランプソケットとは対向するように設けられていることにより、照明器具を下方から眺めた際にランプソケットおよび口金部が遮光部材で隠れるので、意匠性を高めることができる。
【００１９】
さらにまた、複数のランプソケットが周方向に位置をずらして配置されているので、各環状のランプの着脱の際の操作性を向上させることができる。
【００２０】
請求項２記載の照明器具によれば、各々ランプホルダが遮光部材と対向するように設けられていることにより、照明器具を下方から眺めた際にランプホルダが遮光部材で隠れるので、意匠性をより高めることができる。
【００２１】
また、複数のランプホルダが周方向に位置をずらして配置されているので、各環状のランプの着脱の際の操作性をより向上させることができる。
【発明を実施するための最良の形態】
【００２２】
以下、本発明の一実施の形態を図面を参照して説明する。
【００２３】
図１は照明器具の施工状態の断面図、図２は照明器具の斜視図、図３は照明器具の底面図、図４は照明器具の組立て状態を示す説明図である。
【００２４】
照明器具１１は、図１、２および３に示すように、天井板１２に形成された円形の埋込孔1３を通じて天井板１２内に埋込み設置されるもので、複数の環状ランプとして、ランプ出力の大きさが異なる２本の円環状の蛍光ランプ１４、１４が用いられている。この蛍光ランプ１４，１４は、口金部１４ａ、この口金部１４aに両端が接続された円環状の発光管１４ｂを有している。
【００２５】
照明器具１１は、埋込孔１３を通じて天井板１２に埋め込み設置される円形の器具本体２１を有し、この器具本体２１内の周辺域に２本の蛍光ランプ１４，１４が水平に並んで配置されている。この器具本体２１は、例えばアルミニウム製の板材から絞り加工によって下方へ向けて開口した断面略逆Ｕ字形に一体成形されており、上面部２２を有し、この上面部２２の周囲から下方へ向けて周面部（器具本体周面部）２３が形成され、この周面部２３の下端周縁から天井板１２の下面に接合される縁部２４が形成されている。この周面部２３の下部側には、周面部２３より外面側に突出して天井板１２の埋込孔１３内に配置される段部２５が形成されている。
【００２６】
器具本体２１の周面部２３は下方へ向けて拡開する傾斜面状に形成され、上面部２２と周面部２３とは湾曲部２６によって連続した面に形成されており、これら上面部２２、湾曲部２６および周面部２３の蛍光ランプ１４，１４に対向する内面に、例えば白色塗装や鏡面仕上によって処理された器具本体側反射面２７が形成されている。
【００２７】
また、器具本体２１の中央域であって、器具本体の中央域側に設けられた蛍光ランプ１４の内側域には、電気機器を収容可能とする空間である電気機器収容部３４が形成されている。なお、この電気機器収容部３４には、例えばダウンライトなどの照明装置、非常灯、スピーカなどを適宜設けることができる。
【００２８】
さらにまた、器具本体２１内の中央域であって蛍光ランプ１４の内側域には、電気機器収容部３４の周面および下面を覆うカバー３８が着脱可能に配設されている。このカバー３８は、例えばアルミニウム製の板材から絞り加工によって上方へ向けて開口した断面略Ｕ字形に一体成形されており、下面部３９を有し、この下面部３９の周囲から上方へ向けて周面部（カバー周面部）４０が形成され、この周面部４０の上端周縁から器具本体２１の上面部２２の内面に例えばねじ止めによって取り付けられる取付部４１が形成されている。周面部４０の下部外周には段部４２が形成されている。
【００２９】
このカバー３８の周面部４０は、上方へ向けて拡開し、上端側が器具本体２１の周面部２３および蛍光ランプ１４に接近するように傾斜面状に形成されており、この周面部４０の蛍光ランプ１４に対向する外面に、例えば白色塗装や鏡面仕上によって処理されたカバー側反射面４３が形成されている。
【００３０】
そして、器具本体２１とカバー３８との間には、２本の蛍光ランプ１４，１４が水平に配置される円環状のランプ収納部４６が形成され、このランプ収納部４６の下面に光を照射する円環状の照射開口部４７が形成されている。このランプ収納部４６内に臨んで器具本体側反射面２７およびカバー側反射面４３が対向するように設けられ、円環状の蛍光ランプ１４，１４を覆うとともに下方へ向けて開口する断面略逆Ｕ字形の反射面４８が構成されている。
【００３１】
一方、器具本体２１の上面の中心より周辺域に寄った位置でかつランプソケット２９の上方の真上位置には、蛍光ランプ１４、１４を点灯させるインバータ点灯回路を有する点灯装置６２が配設されている。点灯装置６２は、器具本体２１の上面にねじ止め固定されるケース６３を有し、このケース６３内にインバータ点灯回路を実装した回路基板６４などが収納されている。
【００３２】
また、器具本体２１の周辺部には、天井板１２に取付けるばね性を有する取付手段６９が設けられている。
【００３３】
このような器具本体２１において、器具本体２１のランプ収納部４６内であって、その上面部２２には、各蛍光ランプ１４，１４の口金部１４ａが接続されるランプソケット２９がそれぞれ照射開口部４７から臨むようにそれぞれ取り付けられているとともに、各蛍光ランプ１４，１４の口金部１４ａ、１４ａと反対側の発光管１４ｂの部分が着脱可能に保持するランプホルダ３０がそれぞれ照射開口部４７から臨むように取り付けられている。ランプソケット２９は蛍光ランプ１４の口金部１４ａを着脱可能に保持するホルダ機能も有している。そして、各ランプソケット２９、２９および各ランプホルダ３０、３０は、それぞれ周方向に位置をずらして配置されている。
【００３４】
さらに、器具本体２１とカバー３８との間の照射開口部４７には蛍光ランプ１４，１４の光を制光する制光部材５１が設けられている。この制光部材５１は、ルーバ体であり、器具本体２１の段部２５の内周に取り付けられる円環状の外側枠部５２、カバー３８の段部４２の外周に取り付けられる円環状の内側枠部５３、これら外側枠部５２と内側枠部５３との間に放射状に取り付けられる遮光部材である複数のルーバ片５４を有している。
【００３５】
なお、ルーバ片５４は、器具本体側反射面２７側の上下方向の幅よりもカバー側反射面４３側の上下方向の幅の方が短い台形状に形成されているものである。  
【００３６】
ここで、上記のように形成された照明器具１１について図３、４を参照して説明する。
【００３７】
まず、点灯装置６２、取付手段６９およびカバー３８が設けられている器具本体２１に一方の蛍光ランプ１４の口金部１４ａをランプ収納部４６内の一方のランプソケット２９へ装着し、かつ、同じくランプ収納部４６内の一方のランプホルダ３０へ一方の蛍光ランプ１４び発光管１４ｂを取着する。そして、同様に、他方の蛍光ランプ１４の口金部１４ａをランプ収納部４６内の他方のランプソケット２９へ装着し、かつ、同じくランプ収納部４６内の他方のランプホルダ３０へ他方の蛍光ランプ１４び発光管１４ｂを取着する。
【００３８】
このとき、各ランプソケット２９，２９および各ランプホルダ３０，３０とは互いに周方向に位置をずらして設けられているので、一方の蛍光ランプ１４が設けられた状態であっても、他方の蛍光ランプ１４をランプソケット２９へ装着およびランプホルダ３０へ取付け等の作業の際に既に設けられている蛍光ランプ１４のランプソケット２９等が邪魔にならないようになっている。したがって、取付作業は行いやすいものである。
【００３９】
また制光部材５１は、蛍光ランプ１４，１４が取付けられた器具本体２１の図示しない被係合部へ係合部５５を係合させることで取付ける。このとき、図３に示したように、各々ランプソケット２９，２９および各々のランプホルダ３０，３０は、器具本体２１の直下方向から見た場合に一枚のルーバ片５４ａ、５４ｂ、５４ｅ、５４ｆと略重なるような位置関係で設けられている。
【００４０】
そして、照明器具１１の施工時においては、器具本体２１の上部側および各取付部材６９を天井板１２の埋込孔１３に挿入し、周方向に対応した取付方向Ｆへ向けて器具本体２１を回動させながら器具本体２１を押し上げる。これにより、取付部材６９が天井板１２の上面と係合することで器具本体２１の取り付けを完了する。
【００４１】
本実施形態によれば、複数のランプソケット２９，２９が周方向に位置をずらして配置されており、さらに、複数のルーバ片５４のうちルーバ片５４ａ、５４ｂは、各々のランプソケット２９，２９と対向する位置に設けられていることにより、ルーバ片５４ａとルーバ片５４ｂ間の輝度感がルーバ片５４ｃとルーバ片５４ｄ間との輝度感と比較しても低下しないようになっている。
【００４２】
要するに、本実施形態のような形態ではない、例えば口金部１４ａ、１４ａが器具本体２１の中央側に向かって直線的に隣接して設けられてしまうと、非発光部が近接してしまうことになる。この状態で制光部材５１を設けると一枚のルーバ片Ａのみと重なるように口金部１４ａ、１４ａが設けられてしまうことになるので、このルーバ片Ａの近傍は暗部が目立ちやすく、ルーバ片Ａと隣り合うルーバ片間の輝度感はその他のルーバ片間よりも著しく低下してしまうことになる。
【００４３】
しかしながら、本実施形態では非発光部である口金部１４ａ、１４ａは異なるルーバ片５４ａおよび５４ｂの直上にそれぞれ位置し、かつ、各々の口金部１４ａと隣接するのは他方の蛍光ランプ１４の発光管１４ｂであることにより、非発光部を目立ちにくくしているので、ルーバ片５４ａとルーバ片５４ｂとの間の輝度感の低下を抑制でき、照明器具１１の使用者が照明器具１１を下方向から眺めた場合に違和感を生じることを抑制しているものである。
【００４４】
また、ルーバ片５４ａ、５４ｂと各々のランプソケット２９，２９とが重なるように設けられていることにより、照明器具１１を下方側から眺めた際にランプソケット２９，２９および口金部１４ａ、１４ａが隠れるので、意匠性をより高めている。
【００４５】
また、各々ランプホルダ３０，３０がルーバ片５４ｅ、５４ｆと対向するように設けられていることにより、照明器具１１を下方から眺めた際の意匠性をより高めることができる。
【００４６】
なお、環状のランプとしては、円環状の蛍光ランプ１４に限らず、四角形状の蛍光ランプなど、閉じた形状のランプつまり環状のランプを用いることができる。そして、用いるランプの形状に対応して、器具本体２１、カバー３８および制光部材５１の形状を対応させる。さらにまた器具本体２１の周辺形状は、円形に限らず、正四角形を含む正多角形に形成してもよい。
【００４７】
また、複数の環状のランプは、必ずしも互いに水平となるように設けられていなくてもよく、要するに器具本体２１の直下方向から見て複数の環状のランプが隣り合うように、または、一部重なるように設けられていればいずれの形態でもよい。
【図面の簡単な説明】
【００４８】
【図１】本発明の一実施の形態を示す照明器具の施工状態の断面図
【図２】同上照明器具の斜視図
【図３】同上照明器具のの底面図
【図４】同上照明器具の組立て状態を示す説明図
【符号の説明】
【００４９】
１１・・・照明器具、２１・・・器具本体、２９・・・ランプソケット、３０・・・ランプホルダ、５１・・・制光部材、５４・・・遮光部材であるルーバ片
【図１】
2005100720.tif 000003
【図２】
2005100720.tif 000004
【図３】
2005100720.tif 000005
【図４】
2005100720.tif 000006